(57)【要約】【課題】  携帯端末装置に異なる操作を加えることによって、該異なる操作に応じて音源メモリに記憶された音源データにＤＪで行われるような各種の特殊再生処理を行うようにしたＤＪプレイ機能を有する携帯端末装置を提供する。【解決手段】  携帯端末装置１０は、音源データを記憶した音源メモリと２２、ＤＪ処理部１２と、音源メモリから読み出した音源データを特殊再生処理する特殊再生処理部１４と、関連付けテーブル１５と、携帯端末装置の異なる操作を検出する手段（例えば、姿勢／挙動検出部１６）を備える。関連付けテーブル１５は携帯端末装置１０の異なる操作にそれぞれ応じた特殊再生の種類を設定し、ＤＪ処理部１２は携帯端末装置１０の異なる操作を検出する手段の検出結果に基づいて関連付けテーブル１５を参照して特殊再生処理部１４に関連付けテーブルに設定された特殊再生の種類に従った再生を行わせる。【選択図】      図１
2006080771.tif 000002
【特許請求の範囲】
【請求項１】
音源データを記憶した音源メモリと、ＤＪ処理部と、音源メモリから読み出した音源データを特殊再生処理する特殊再生処理部と、関連付けテーブルと、携帯端末装置の異なる操作を検出する手段と、を備えた携帯端末装置であって、
前記関連付けテーブルは、携帯端末装置の異なる操作にそれぞれ応じた特殊再生の種類を設定し、前記ＤＪ処理部は、携帯端末装置の異なる操作を検出する手段の検出結果に基づいて前記関連付けテーブルを参照し、前記特殊再生処理部に前記関連付けテーブルに設定された特殊再生の種類に従った再生を行わせることを特徴とするＤＪプレイ機能を備えた携帯端末装置。
【請求項２】
前記携帯端末装置の異なる操作を検出する手段は、３次元加速度センサーおよび／または地磁気センサーからなる姿勢／挙動検出部により構成したことを特徴とする請求項１に記載のＤＪプレイ機能を備えた携帯端末装置。
【請求項３】
前記携帯端末装置の異なる操作を検出する手段は、操作／入力部の所定の操作手段の動作を検出するように構成されたことを特徴とする請求項１に記載のＤＪプレイ機能を備えた携帯端末装置。
【請求項４】
前記関連付けテーブルは、前記携帯端末装置に予めプリセットされた複数の関連付けテーブルからなり、その１つを選択可能としたことを特徴とする請求項１〜３の何れか１項に記載のＤＪプレイ機能を備えた携帯端末装置。
【請求項５】
前記関連付けテーブルは、前記携帯端末装置に加えられた異なる操作を記憶し、前記記憶した異なる操作のそれぞれに応じた特殊再生の種類を設定するようにしたことを特徴とする請求項１〜３の何れか１項に記載のＤＪプレイ機能を備えた携帯端末装置。
【発明の詳細な説明】
【技術分野】
【０００１】
本発明は、ＤＪ（ディスクジョッキー）プレイ機能を有する携帯端末装置に関するものであり、特に、携帯端末装置に異なる操作を加えることによって、該異なる操作に応じて音源メモリに記憶された音源データにＤＪで行われるような各種の特殊再生処理を行うようにしたＤＪプレイ機能を有する携帯端末装置に関する。前記異なる操作は、携帯端末装置の姿勢／挙動を検出する３次元加速度センサーや地磁気センサーなどからなる姿勢／挙動検出部を備え、その姿勢／挙動を検出する、あるいは、操作／入力部の所定のタッチパッドやジョグスイッチの操作を検出することによって認識するようにしたものである。
【背景技術】
【０００２】
近年の情報処理技術、通信技術の発展に伴い携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続して業務上必要な情報を取得することができる。最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、交通機関やコンピニエンスストアなどの代金決済など様々なサービスを受けることができるようになってきている。本発明が対象とする携帯端末装置には携帯電話も含まれるものである。
【０００３】
ところで、携帯電話などの携帯端末装置の利用者にとっては、端末を単にデータ通信に機能を利用して私的、あるいは、業務上必要な用途として使用するだけでなく、利用者自身の楽しみ（アミューズメント）のための機能や利用者自身が好む種々のコンテンツを取り込んでカスタマイズし、他の利用者が持つ端末と差別化したいという要望が根強い。例えば、携帯電話における「着メロ」、「着うた」などがよい例である。
【０００４】
一方、音楽愛好家の間では、レコードやＣＤなどの媒体に記録された音源データを特殊再生して楽しむＤＪ（ディスクジョッキー）プレイが愛好されている。ＤＪプレイでいう特殊再生とは、音源データを通常再生するだけでなく通常再生の間で部分的にスクラッチ音を入れたり、逆向きに生成したり、再生時間を伸長、短縮するなどして再生する方法である。そしてこのような機能（ＤＪプレイ）を提供するには、レコードプレーヤ、オーディオミキシング装置、電子楽器などの種々の機器が使用され、下記の特許文献１（特開２００１−２０３５４８号公報）にはＤＪプレイのためのオーディオミキシング装置が開示され、特許文献２（特開２００３−２６３１６９号公報）には電子楽器が開示され、特許文献３（特開２０００−２６８３０１号公報）にはレコードプレーヤが開示されている。
【特許文献１】特開２００１−２０３５４８号公報（図１）
【特許文献２】特開２００３−２６３１６９号公報（図１、図２）
【特許文献３】特開２０００−２６８３０１号公報（図１）
【発明の開示】
【発明が解決しようとする課題】
【０００５】
ＤＪプレイの愛好者にとって、自身が通常携帯する携帯端末装置でこのようなＤＪプレイを手軽に楽しむことができれば、安価で便利なツールになり得る。また、このような機能が携帯端末装置に備われば、ＤＪプレイの愛好家だけでなく、一般の携帯端末装置利用者にとっても自身が所有する携帯端末装置と他の利用者が所有する携帯端末装置と差別化ができ、当該機能を有する携帯端末装置の利用者を増大することができ好ましい。
【０００６】
しかしながら、上記特許文献１ないし特許文献３に開示された機器は、何れもＤＪプレイのための専用の機器であり、愛好者が手軽に購入して好きな場所でＤＪプレイを楽しむ用途には適していないという問題点があった。
【０００７】
本発明は、上記の問題点に鑑み、携帯端末装置に異なる操作を加えることによって、該異なる操作に応じて音源メモリに記憶された音源データにＤＪで行われるような各種の特殊再生処理を行うようにしたＤＪプレイ機能を有する携帯端末装置を提供することを目的とする。携帯端末装置の異なる操作は、携帯端末装置の姿勢／挙動を検出する３次元加速度センサーや地磁気センサーなどからなる姿勢／挙動検出部を備え、その姿勢／挙動を検出する、あるいは、操作／入力部の所定のタッチパッドやジョグスイッチの操作を検出することによって認識することができる。
【課題を解決するための手段】
【０００８】
前記課題を解決するために、本願の請求項１にかかる発明は、音源データを記憶した音源メモリと、ＤＪ処理部と、音源メモリから読み出した音源データを特殊再生処理する特殊再生処理部と、関連付けテーブルと、携帯端末装置の異なる操作を検出する手段と、を備えた携帯端末装置であって、
前記関連付けテーブルは、携帯端末装置の異なる操作にそれぞれ応じた特殊再生の種類を設定し、前記ＤＪ処理部は、携帯端末装置の異なる操作を検出する手段の検出結果に基づいて前記関連付けテーブルを参照し、前記特殊再生処理部に前記関連付けテーブルに設定された特殊再生の種類に従った再生を行わせることを特徴とするＤＪプレイ機能を備えた携帯端末装置である。
【０００９】
また、本願の請求項２にかかる発明は、請求項１にかかる発明において、携帯端末装置の異なる操作を検出する手段は、３次元加速度センサーおよび／または地磁気センサーからなる姿勢／挙動検出部により構成したことを特徴とする。
【００１０】
また、本願の請求項３にかかる発明は、請求項１にかかる発明において、携帯端末装置の異なる操作を検出する手段は、操作／入力部の所定の操作手段の動作を検出するように構成されたことを特徴とする。
【００１１】
また、本願の請求項４にかかる発明は、請求項１〜３の何れかにかかる発明において、関連付けテーブルは、前記携帯端末装置に予めプリセットされた複数の関連付けテーブルからなり、その１つを選択可能としたことを特徴とする。
【００１２】
また、本願の請求項５にかかる発明は、請求項１〜３の何れかにかかる発明において、関連付けテーブルは、前記携帯端末装置に加えられた異なる操作を記憶し、前記記憶した異なる操作のそれぞれに応じて特殊再生の種類を設定するようにしたことを特徴とする。
【発明の効果】
【００１３】
請求項１にかかる発明においては、携帯端末装置が音源メモリと、ＤＪ処理部と、音源メモリから読み出した音源データを特殊再生処理する特殊再生処理部と、関連付けテーブルと、を備え、関連付けテーブルは、携帯端末装置の異なる操作にそれぞれ応じた特殊再生の種類を設定し、前記ＤＪ処理部は、携帯端末装置の異なる操作を検出する手段の検出結果に基づいて前記関連付けテーブルを参照し、前記特殊再生処理部に前記関連付けテーブルに設定された特殊再生の種類に従った再生を行わせる。
【００１４】
従って、携帯端末装置の利用者がＤＪ処理部を起動し携帯端末装置に異なる操作を加えるだけで容易にＤＪプレイを楽しむことができるようになる。このため、利用者にとっては、ＤＪプレイを楽しむために高価な専用の機器を購入する必要がなくなり、また、携帯端末装置の販売業者にとっては、ユーザーを拡大することができるようになる。
【００１５】
また、請求項２にかかる発明においては、携帯端末装置の異なる操作を検出する手段は、３次元加速度センサーおよび／または地磁気センサーからなる姿勢／挙動検出部により構成したものであるから、携帯端末装置の利用者は、ＤＪ処理部を起動し携帯端末装置を回転させたり、振ったりする操作を加えることによって、容易にＤＪプレイを楽しむことができるようになる。
【００１６】
また、請求項３にかかる発明においては、携帯端末装置の異なる操作を検出する手段は、操作／入力部の所定の操作手段の動作を検出するように構成されたものであるから、携帯端末装置の利用者は、ＤＪ処理部を起動し携帯端末装置の操作／入力手段、例えば、タッチパッドやジョグダイヤルを使用して異なる操作を加えることによって、容易にＤＪプレイを楽しむことができるようになる。
【００１７】
また、請求項４にかかる発明においては、請求項１〜３の何れかの発明において、関連付けテーブルは、前記携帯端末装置に予めプリセットされた複数の関連付けテーブルからなり、その１つを選択可能としたものであるから、携帯端末装置の利用者は、異なる関連付けテーブルを選択することにより、携帯端末装置に異なる操作を加えた際に、他の関連付けテーブルによる場合と異なる特殊再生の組み合わせによるＤＪプレイを楽しむことができるようになる。
【００１８】
また、請求項５にかかる発明においては、請求項１〜３の何れかの発明において、関連付けテーブルは、携帯端末装置に加えられた異なる操作を記憶し、前記記憶した異なる操作のそれぞれに応じて特殊再生の種類を設定するようにしたものであるから、携帯端末装置の利用者は、実際に携帯端末装置に種々の異なる操作を加えて、それに対応する特殊再生の種類を設定することができるようになり、利用者の好みに応じ携帯端末装置をカスタマイズしてＤＪプレイを楽しむことができるようになる。また、他の利用者が使用している携帯端末装置１０と差別化することができるようになる。
【発明を実施するための最良の形態】
【００１９】
以下、本発明の具体例を実施例及び図面を用いて詳細に説明する。図１は、本発明の実施例にかかるＤＪプレイ機能を有する携帯端末装置の構成を示すブロック図、図２は、携帯端末装置の姿勢／挙動の検出結果と特殊再生の種類を関連付ける関連付けテーブルの構成を示す図である。図３は、本発明の実施例にかかるＤＪプレイ機能を有する携帯端末装置の処理手順を示すフローチャートである。図４は、携帯端末装置の一例である携帯電話の外観図であり、図４（ａ）は携帯電話を折り畳んだ状態を示し、図４（ｂ）は携帯電話を開いた状態を示す図である。
【実施例】
【００２０】
本発明の実施例にかかる携帯端末装置１０は、具体的には携帯電話を端末とするものであり、図１に示すように、制御部１１、無線通信部１７、通話処理部１８、表示部１９、操作／入力部２１を備えている。これらの各部は通常の携帯端末装置（携帯電話）を構成する構成要素であり、制御部１１は、マイクロプロセッサを中心に構成され、一般的なコンピュータ装置と同様にＲＡＭ、ＲＯＭなどの記憶手段を備えており、これらの記憶手段に蓄積されたプログラムによって各部を制御する。
【００２１】
無線通信部１１は、携帯電話基地局との間で無線通信を行う無線通信インターフェースであり、音声通話やデータ通信のデータが無線通信によって携帯電話基地局との間で送受信される。通話処理部１８は、音声出力のためのスピーカ、音声入力のためのマイク、音声の符号化と複合化の機能と受話音量やマイクの感度変更機能を持つ音声コーデックなどから構成され通話を行う際に使用される。操作／入力部２１は数字アルファベットボタンや機能ボタン、タッチパッドやジョグダイヤルなどから構成され、携帯端末装置１０を操作する入力を行う部分であり、液晶ディスプレイなどで構成される表示部１９は、各種アプリケーションの操作画面を表示したり、操作／入力部２１から入力された入力に従って関連する画面を表示する。
【００２２】
本発明にかかる携帯端末装置１０は、更に、ＤＪ処理部１２、再生処理部１３、特殊再生処理部１４、関連付けテーブル１５、姿勢／挙動検出部１６、音源メモリ２２を備えている。ＤＪ処理部１２は、具体的にはアプリケーションプログラムで構成されるものであり、後述する図３のフローチャートに示す手順の処理を実行するアプリケーションである。音源メモリ２２には、ＤＪ処理部１２が処理する対象の複数の音源データが記憶される。この音源データは、各種の情報配信サーバからダウンロードして蓄積してもよく、標準的な音源データをプレインストールしておくこともできる。再生処理部１３は音源メモリ２２に記憶された音源データを通常の方式で再生処理するものである。
【００２３】
音源メモリ２２に記憶する音源データは、ＤＪプレイの再生のための特別なファイルフォーマットを持つものでなく通常の音源データ（着メロ、着うたなど）のファイルフォーマットのデータをそのまま用い、特殊再生処理部１４の特殊再生処理によってＤＪプレイ機能で使用される各種の特殊再生を行う。特殊再生処理部１４は、各種のＤＪプレイ用の機器がハードウェア的に処理するＤＪプレイ機能の特殊再生をソフト的に処理するものであり、音源データがアナログデータデアル場合には、アナログデータの音源データをデジタル変換して、再生順序を入れ換えたり、スクラッチ音を付加したりする処理を行い、再度アナログデータに変換して再生する処理を行う。
【００２４】
姿勢／挙動検出部１６は携帯端末装置１０の姿勢や挙動（動き）を検出するものであり、３次元加速度センサーや地磁気センサーなどから構成される。これらのセンサーから検出される値から携帯端末装置１０の姿勢や動きを検出することができ、最近の携帯電話ではＧＰＳ測位手段とともにこれらのセンサーを内蔵した機種が実現している。そして、本実施例にかかる携帯端末装置１０では、姿勢／挙動検出部１６の検出結果に基づいて携帯端末装置１０の姿勢や動きの変化に応じて、特殊再生の種類（再生方法）を決定するように構成している。このために、関連付けテーブル１５が設けられている。
【００２５】
関連付けテーブル１５は、図２に示すように、姿勢／挙動検出部１６が検出した携帯端末装置１０の姿勢とそれに対応する特殊再生の種類を設定したテーブルであり、例えば、携帯端末装置１０の姿勢／挙動に変化がなければ、通常の再生（正回転）を行い、左回転（回転角度範囲ａ）のときはスクラッチ再生というように、携帯端末装置１０の姿勢／挙動の種類に応じて特殊再生の種類を設定したものである。例えば、図４の携帯電話からなる携帯端末装置１０の外観図である図４（ａ）に示すように携帯端末装置１０を矢印のように動かすと、姿勢／挙動検出部１６がその姿勢／挙動を検出される。この姿勢／挙動の種別に応じて特殊再生の種類を設定したものが関連付けテーブル１５である。ここでいう特殊再生の種類とは、通常のＤＪプレイで用いられる特殊再生の種類であり、例えば、正方向、逆方向、早送り、巻き戻し、ストップ、スクラッチなどの再生処理である。
【００２６】
従って、ＤＪ処理部１２を起動してＤＪプレイを実行している時に、携帯端末装置１０が回転させられたり、振動させられたりすると、姿勢／挙動検出部１６がこれを検出して関連付けテーブル１５を参照して特殊再生の種類が決定され、特殊再生処理部１４が決定された特殊再生処理を行い、利用者はＤＪプレイを手軽に楽しむことができるようになる。また、携帯端末装置１０の姿勢／挙動によって特殊再生の種類が変化するので、予想しない再生が行われ利用者の興味を増すことができるようになる。
【００２７】
この関連付けテーブル１５は、１種類でもよく、携帯端末装置１０の姿勢／挙動と特殊再生の種類の関連付けを異ならせた複数の関連付けテーブル１５を用意しておき、ＤＪ処理部１２を起動した後、利用者が複数の関連付けテーブル１５の１つを選択（操作／入力部２１により選択入力）するように構成することもできる。このように構成すれば、携帯端末装置に異なる操作を加えた際に、他の関連付けテーブル１５による場合と異なる特殊再生の組み合わせによるＤＪプレイを楽しむことができるようになる。
【００２８】
また、関連付けテーブル１５は、実際に利用者が携帯端末装置に加えた異なる操作（姿勢／挙動の種別を記憶し、操作／入力手段２１から当該記憶した異なる操作にそれぞれ応じた特殊再生の種類を設定するように構成することもできる。このように構成すれば、利用者の好みに応じて携帯端末装置１０をカスタマイズしてＤＪプレイを楽しむことができるようになる。また、他の利用者が使用している携帯端末装置１０と差別化することができるようになる。
【００２９】
更に、このような関連付けテーブル１５は、携帯端末装置１０にプリセットしたものであってもよく、あるいは、携帯端末装置１０に対して各種のサービスを提供する事業者が運営する情報配信サーバやウェブサイトから携帯端末装置１０にダウンロードするように構成することもできる。
【００３０】
なお、関連付けテーブル１５は、携帯端末装置１０の一例である携帯電話の外観を示す図４（ｂ）のように、操作／入力部２１を構成するタッチパッドやジョグダイヤルの操作と関連付けて特殊再生の種類を設定するように構成することもできる。この場合、携帯端末装置１０の姿勢／挙動によらず、操作／入力部２１を構成するタッチパッドやジョグダイヤルの操作に応じた特殊再生を行うことができるようになる。この場合、携帯端末装置１０は必ずしも姿勢／挙動検出部１６を備えている必要はない。もちろん、他の目的にために姿勢／挙動検出部１６を備えていてもよい。
【００３１】
次に、図３に示すフローチャートに基づいて、本発明の実施例にかかる携帯端末装置１０におけるＤＪプレイの処理手順について説明する。携帯端末装置１０の利用者がＤＪプレイを使用する場合、利用者は先ずＤＪ処理部１２を起動する。この操作は利用者が携帯端末装置１０の操作／入力部２１からＤＪプレイのアプリケーションを指定して行う。
【００３２】
ステップＳ１０でＤＪ処理部１２が起動されると、先ず、ステップＳ１１においてＤＪ処理部１２は、表示部１９に音源メモリ２２に蓄積されている音源データの一覧を表示し、利用者に操作／入力部２１から表示された音源データ一覧の中から所望する音源データを選択させる。音源データの選択がなされると、再生処理部１３がステップＳ１２において前記選択された音源データを通常再生（正方向の再生）を開始する。
【００３３】
ステップＳ１２おいて、姿勢／挙動検出部１６が携帯端末装置１０の動きを検出する。先に述べたように姿勢／挙動検出部１６は３次元加速度センサー、地磁気センサーなどにより構成され、携帯巻末装置１０が回転されたり、振られたりするとその姿勢や動きを検出する。ステップＳ１３において、姿勢／挙動検出部１６が携帯端末装置１０の動きを検出しなければ、ＤＪ処理部１２はステップＳ１６において再生処理部１３に前記選択された音源データの通常再生（正方向の再生）を継続させ、ステップＳ１７で前記選択された音源データ再生が終了したか否かを判定し、終了すればＤＪ処理部１２の動作を終了してＤＪプレイを終了する。ステップＳ１７で音源データの再生終了が検出されなければ、ＤＪ処理部１２はステップＳ１３に戻って、姿勢／挙動検出部１６の検出結果を判断する。
【００３４】
一方、ステップＳ１３において、携帯端末装置１０の動きが姿勢／挙動検出部１６で検出されると、ＤＪ処理部１２はステップＳ１４において関連付けテーブル１５を参照して携帯端末装置１０の姿勢／挙動の種類に対応する特殊再生の種類を得る。そしてＤＪ処理部１２は、ステップＳ１５において特殊再生処理部１４に関連付けテーブル１５から得た特殊再生の種類に従って前記選択された音源データを特殊再生させ、ステップＳ１３に戻る。従って、ステップＳ１３からステップＳ１７のループの中で、携帯端末装置１０の姿勢／挙動が変化するたびに関連付けテーブル１５に設定されているそれぞれ異なる特殊再生が行われ、携帯端末装置１０の利用者は携帯端末装置１０を振ったり、回転させたりするだけで容易にＤＪプレイを楽しむことができる。
【００３５】
なお、図４（ｂ）に示すように携帯端末装置１０の操作／入力部２１を構成するタッチパッドやジョグダイヤルの操作によって異なる特殊再生を行わせてＤＪプレイを楽しむように構成する場合は、図２の関連付けテーブル１５において、「検出した姿勢／挙動」のフィールドにタッチパッドやジョグダイヤルの操作の種別を設定し、それに対応させて「特殊再生の種類」を設定した関連付けのテーブルとし、図３のフローチャートにおいて、ステップＳ１３の判定処理において、ＤＪ処理部１２が操作／入力部２１におけるタッチパッドやジョグダイヤルの操作の種別を検出するように構成すればよい。
【産業上の利用可能性】
【００３６】
以上、詳細に説明したように本発明によれば、携帯端末装置１０に異なる操作を加えるだけで、それに応じた特殊再生処理を行わせることができる携帯端末装置１０を提供することができ、携帯端末装置１０の利用者がコストをかけずに、手軽にＤＪプレイを楽しむことができるようになる。
【図面の簡単な説明】
【００３７】
【図１】本発明の実施例にかかるＤＪプレイ機能を有する携帯端末装置の構成を示すブロック図である。
【図２】携帯端末装置の姿勢／挙動の検出結果と特殊再生の種類を関連付ける関連付けテーブルの構成を示す図である。
【図３】本発明の実施例にかかるＤＪプレイ機能を有する携帯端末装置の処理手順を示すフローチャートである。
【図４】携帯端末装置の一例である携帯電話の外観図であり、図４（ａ）は携帯電話を折り畳んだ状態を示し、図４（ｂ）は携帯電話を開いた状態を示す図である。
【符号の説明】
【００３８】
１０・・・・携帯端末装置
１１・・・・制御部
１２・・・・ＤＪ処理部（アプリケーション）
１３・・・・再生処理部
１４・・・・特殊再生処理部
１５・・・・関連付けテーブル
１６・・・・姿勢／挙動検出部
１７・・・・無線通信部
１８・・・・通話処理部
１９・・・・表示部
２１・・・・操作／入力部
２２・・・・音源メモリ
【図１】
2006080771.tif 000003
【図２】
2006080771.tif 000004
【図３】
2006080771.tif 000005
【図４】
2006080771.tif 000006